(57)【特許請求の範囲】
【請求項１】
建築物の壁面から離隔した屋根と、壁面に設けた隙間塞ぎ部材とを備え、隙間塞ぎ部材は、取付材と、シート状のカバー材からなり、取付材は、壁面に固定してあって、屋根側に突出する本体部を有しており、カバー材は、柔軟性を有するものであって、一端を取付材の本体部の前端に固定し、他端を屋根の上面に当接させてあることを特徴とする独立構造体。
【請求項２】
建築物の壁面から離隔した屋根と、壁面に設けた隙間塞ぎ部材とを備え、隙間塞ぎ部材は、取付材と、シート状のカバー材からなり、取付材は、壁面に固定してあって、カバー材は、一端を取付材に固定し、他端を屋根の上面に当接させてあるものであり、隙間塞ぎ部材には、第一隙間塞ぎ部材と第二隙間塞ぎ部材があり、入隅を形成する一方の壁面に第一隙間塞ぎ部材の取付材を固定してあり、他方の壁面に第二隙間塞ぎ部材の取付材を固定してあって、一方の取付材と他方の取付材とが上下方向に段違いになっていることを特徴とする独立構造体。
【発明の詳細な説明】
【技術分野】
【０００１】
本発明は、建築物の壁面から離隔して、独立して設置する独立構造体に関する。
【背景技術】
【０００２】
建築物に隣接して設置するテラスなどの構造体のうち、建築物の壁面から離隔して、独立して設置するものを、独立構造体とよぶ。このような独立構造体においては、屋根と壁面とが離隔しているから、その隙間から雨水が浸入することが問題となる。そこで、非特許文献１に記載の独立構造体においては、図１０に示すように、屋根１０１に隙間塞ぎ部材１０２を取り付けて、屋根１０１と壁面Ｗとの間の隙間を塞いでいる。隙間塞ぎ部材１０２は、取付材１０３と、樹脂製のカバー材１０４とを備え、取付材１０３は、屋根１０１の端部に固定してあり、カバー材１０４は、一端を取付材１０３に固定し、他端を壁面Ｗに当接させてある。
【先行技術文献】
【非特許文献】
【０００３】
【非特許文献１】テラスカタログ２０１１−２０１２、株式会社ＬＩＸＩＬ、２０１１年３月、ｐ．２２７−２３８
【発明の概要】
【発明が解決しようとする課題】
【０００４】
このような隙間塞ぎ部材１０２によれば、横方向から吹き込む雨水については止水することができる。しかしながら、一般に壁面Ｗの表面にはある程度の凹凸があるので、カバー材１０４を当接させるだけでは隙間が生じてしまい、壁面Ｗを伝って上から流れてくる雨水については止水することができなかった。
【０００５】
本発明は、上記事情を鑑みたものであり、屋根と建築物の壁面との間の隙間から雨水が浸入することを確実に防いだ独立構造体を提供することを目的とする。
【課題を解決するための手段】
【０００６】
本発明のうち請求項１の発明は、建築物の壁面から離隔した屋根と、壁面に設けた隙間塞ぎ部材とを備え、隙間塞ぎ部材は、取付材と、シート状のカバー材からなり、取付材は、壁面に固定してあって、屋根側に突出する本体部を有しており、カバー材は、柔軟性を有するものであって、一端を取付材の本体部の前端に固定し、他端を屋根の上面に当接させてあることを特徴とする。
【０００７】
本発明のうち請求項２の発明は、建築物の壁面から離隔した屋根と、壁面に設けた隙間塞ぎ部材とを備え、隙間塞ぎ部材は、取付材と、シート状のカバー材からなり、取付材は、壁面に固定してあって、カバー材は、一端を取付材に固定し、他端を屋根の上面に当接させてあるものであり、隙間塞ぎ部材には、第一隙間塞ぎ部材と第二隙間塞ぎ部材があり、入隅を形成する一方の壁面に第一隙間塞ぎ部材の取付材を固定してあり、他方の壁面に第二隙間塞ぎ部材の取付材を固定してあって、一方の取付材と他方の取付材とが上下方向に段違いになっていることを特徴とする。
【発明の効果】
【０００８】
本発明のうち請求項１の発明によれば、壁面に取付材を固定するので、壁面と隙間塞ぎ部材との間に隙間を生じることがなく、横方向から吹き込む雨水のみならず、壁面を伝って上から流れてくる雨水についても確実に止水することができる。
【０００９】
本発明のうち請求項２の発明によれば、壁面に取付材を固定するので、壁面と隙間塞ぎ部材との間に隙間を生じることがなく、横方向から吹き込む雨水のみならず、壁面を伝って上から流れてくる雨水についても確実に止水することができる。そして、建築物の入隅部分において第一隙間塞ぎ部材の取付材と第二隙間塞ぎ部材の取付材とが上下方向に段違いになっているので、一方の取付材と他方の取付材のそれぞれに固定したカバー材が重なる構造となり、雨水の浸入を確実に防ぐことができる。
【図面の簡単な説明】
【００１０】
【図１】第一実施形態の隙間塞ぎ部材の取付部分の縦断面図である。
【図２】独立構造体の側面図である。
【図３】独立構造体の正面図である。
【図４】屋根の連結部分を示すものであり、（ａ）は平面図、（ｂ）は取付材の縦断面図である。
【図５】カバー材に対する雪や風の影響の説明図であり、（ａ）、（ｃ）は本願発明品の場合、（ｂ）、（ｄ）は従来品の場合を示す。
【図６】カバー材が裏返った場合の説明図である。
【図７】第二実施形態（建築物の入隅部分に設置する場合）を示し、（ａ）は縦段面図、（ｂ）は平面図、（ｃ）は横断面図である。
【図８】第一隙間塞ぎ部材と第二隙間塞ぎ部材の関係を示す説明図である。
【図９】入隅を形成する二つの壁面のなす角度が直角より大きい場合を示すものであり、（ａ）は平面図、（ｂ）は正面図である。
【図１０】従来の隙間塞ぎ部材の取付部分の縦断面図である。
【発明を実施するための形態】
【００１１】
以下、本発明の実施の形態を図面に基づいて説明する。なお、以下において上下左右とは、図３中の上下左右方向を示し、前側は図３の手前側、後側は図３の奥側を示す。この独立構造体の第一実施形態は、図２及び図３に示すように、建築物の壁面Ｗの前側に隣接して設置するテラスであり、前側に向かって下方に傾斜する屋根１と、屋根１を支持する左右の柱５とを備える。屋根１は、前後に延びる左右二本の梁１１の上に、格子状に組んだ枠体１２を載せてあって、枠体１２の上面にパネル１３を取り付けたものであり、左右の梁１１の下面に柱５の上端部を連結してある。屋根１の後端部は壁面Ｗから離隔しており、屋根１は二本の柱５のみによって支持されている。
【００１２】
そして、壁面Ｗの、屋根１後端部より上側の位置には、隙間塞ぎ部材２を取り付けてある。図１に示すように、隙間塞ぎ部材２は、取付材３と、カバー材４からなる。取付材３は、前側に突出する本体部３１と、本体部３１の後端から上側に延びる設置片３２とを有しており、設置片３２を壁面Ｗに当接させて、ネジ止めしてある。そして、本体部３１は断面台形の中空形状であって、上面が前側に向かって下方に傾斜しており、前端は屋根１の上部まで延出していて、前端面には前側に向けて開口する係合溝３３を形成してある。また、設置片３２の上端部には、前側に向けて円弧状に湾曲した湾曲部３４を形成してある。さらに、湾曲部３４の前側上端から、前側下方に向けて延出片３５が延びており、延出片３５の前端部から、下方に向けて垂下片３６が延びている。一方、カバー材４は、樹脂製でシート状のものであって、後端部には、上下に突出する複数の突起を有する挿入部４１を形成してある。この挿入部４１を左右方向から取付材３の係合溝３３に圧入して、カバー材４を取付材３に取り付けてある。そして、カバー材４の前端部は、取付材３から垂れ下がって屋根１の上面に当接している。なお、取付材３の湾曲部３４には、シール材を充填してあり、取付材３と壁面Ｗとの間の隙間を塞いである。そして、取付材３の左右両端にはキャップ３７を取り付けてあり、開口部を塞いである（図４）。
【００１３】
また、複数棟の独立構造体を左右方向に並べて設ける場合、図４に示すように、左右の屋根１同士の間の隙間を覆い部材１４により覆う。そして取付材３は、端面同士を付き合わせてあり、中空部内に略コ字形状の連結部材３８を挿入してあって、上面からネジ止めして連結してある。なお、このように取付材３を連結した場合でも、カバー材４は左右方向に一連のものを用いれば、より確実に雨水の浸入を防ぐことができるので望ましい。
【００１４】
続いて、この独立構造体の施工手順について説明する。まず、設置面に左右の柱５を立設し、その上端部に梁１１及び格子状に組んだ枠体１２を載せる。続いて、壁面Ｗに取付材３を取り付け、取付材３にカバー材４を取り付ける。そして最後に、枠体１２の上面にパネル１３を取り付ける。パネル１３を取り付ける前に隙間塞ぎ部材２（取付材３及びカバー材４）を取り付けるのは、パネル１３を取り付けると、パネル１３自体が邪魔になって壁面Ｗの取付材３の取付箇所に下側から手が届きにくくなるからである。
【００１５】
このように構成した独立構造体においては、壁面Ｗに取付材３を固定するので、壁面Ｗと隙間塞ぎ部材２との間に隙間を生じることがなく、横方向から吹き込む雨水のみならず、壁面Ｗを伝って上から流れてくる雨水についても確実に止水することができる。また、屋根側に隙間塞ぎ部材を取り付けていた従来品と比べて、壁面Ｗ側に隙間塞ぎ部材２を取り付ける本願発明品は、カバー材４が裏返りにくい。すなわち、降雪時において、従来品の隙間塞ぎ部材１０２に雪が積もると、カバー材１０４が雪の荷重で押し下げられ、雪は取付材１０３が邪魔になって滑り落ちないので、いずれ雪の荷重でカバー材１０４は裏返ってしまい、止水性能は大きく低下する（図５（ｂ））。これに対し、本願発明品の隙間塞ぎ部材２に雪が積もっても、雪はすぐに取付材３及びカバー材４から屋根１に滑り落ちるので、荷重がかからず、カバー材４が裏返ることはない（図５（ａ））。また、従来品のカバー材１０４が雪や風によって下向きに押し込まれると、自重により復元することはできない（図５（ｄ））。これに対し、本願発明品のカバー材４が雪や風によって取付材３の下側に押し込まれても、自重により復元しやすい（図５（ｃ））。さらに、取付材３の前端が屋根１の上部まで延出しているので、より雪や風によって裏返りにくくなっており、またカバー材４が下側からは見えにくくなっている。そして、仮にカバー材４が裏返ったとしても、カバー材４は屋根１に当接するので、ある程度の風雨であれば防ぐことができる（図６）。また、カバー材４は、樹脂製でシート状のものであって、柔軟性を有するものであるから、屋根１の上面に凹凸がある場合や、施工誤差がある場合、さらに積雪や強風で屋根１の位置が変位した場合にも対応できる。なお、図１に示すように、本実施形態における壁面Ｗは、外壁材Ｗ１の内側に空気層Ａを有し、さらにその内側に防湿シートＳを備えるものであるが、隙間塞ぎ部材２は重量の大きなものではないから、外壁材Ｗ１部分にネジ止めすれば十分であり、防湿シートＳには孔を開けなくてもよい。
【００１６】
次に、独立構造体の第二実施形態として、建築物の入隅部分に隣接して設置する場合について説明する。ここで、入隅を形成する二つの壁面は、図７（ｂ）に示すように、屋根１の後側と右側に位置しており、後側の壁面を見付壁面Ｗａ、右側の壁面を見込壁面Ｗｂとする。なお、屋根１及び柱（図示省略）の構成については、第一実施形態と同じである。そして、第二実施形態においても、屋根１と壁面の間の隙間を隙間塞ぎ部材により塞いであるが、ここでは、見付壁面Ｗａ側のものを第一隙間塞ぎ部材２ａ、見込壁面Ｗｂ側のものを第二隙間塞ぎ部材２ｂとする。第一隙間塞ぎ部材２ａは、第一取付材３ａと第一カバー材４ａからなり、第二隙間塞ぎ部材２ｂは、第二取付材３ｂと第二カバー材４ｂからなる（以下、第一隙間塞ぎ部材２ａの各部名称の符号にはａを、第二隙間塞ぎ部材２ｂの各部名称の符号にはｂを付して示す）。このうち、第一隙間塞ぎ部材２ａについては、第一実施形態の隙間塞ぎ部材とまったく同じものであり、見付壁面Ｗａに第一取付材３ａを取り付けてあって、第一取付材３ａに取り付けた第一カバー材４ａが屋根１の上面に当接している。その他、各部の形状や屋根１との位置関係についても同じであるから、説明は省略する。
【００１７】
一方、第二隙間塞ぎ部材２ｂについても、基本的な構成は第一隙間塞ぎ部材２ａと同じであって、図８に示すように、第二取付材３ｂと第二カバー材４ｂからなる。第二取付材３ｂは、左側に突出する本体部３１ｂと、本体部３１ｂの右端から上側に延びる設置片３２ｂとを有しており、設置片３２ｂを見込壁面Ｗｂに当接させて、ネジ止めしてある。そして、本体部３１ｂは断面矩形の中空形状であって、左端は屋根１の上部までは延出しておらず、左端面には左側に向けて開口する係合溝３３ｂを形成してある。また、設置片３２ｂの上端部には、左側に向けて円弧状に湾曲した湾曲部３４ｂを形成してある。湾曲部３４ｂには、シール材を充填してあり、第二取付材３ｂと見込壁面Ｗｂとの間の隙間を塞いである。さらに、湾曲部３４ｂの左側上端から、左側下方に向けて延出片３５ｂが延びており、延出片３５ｂの左端部から、下方に向けて垂下片３６ｂが延びている。そして、第二取付材３ｂの前端にはキャップ３７ｂを取り付けてあり、開口部を塞いである。なお、図７（ａ）に示すように、第二取付材３ｂは、屋根１の傾斜に合わせて、前側に向かって下方に傾斜させて見込壁面Ｗｂに固定してある。また、設置片３２ｂは、第一取付材３ａの高さよりも長く形成してあり、第一取付材３ａの端部を、第二取付材３ｂの本体部３１ｂと湾曲部３４ｂの間に呑み込ませてあって、第一取付材３ａの本体部３１ａが上側に、第二取付材３ｂの本体部３１ｂが下側に位置している。そして、この第二取付材３ｂには第二カバー材４ｂを取り付けてあり、第二カバー材４ｂの左端部は、第二取付材３ｂから垂れ下がって屋根１の上面に当接している。
【００１８】
このように、第一隙間塞ぎ部材２ａと第二隙間塞ぎ部材２ｂとを用いることにより、建築物の入隅部分において、第一取付材３ａの本体部３１ａが上側に、第二取付材３ｂの本体部３１ｂが下側に位置するので、第二取付材３ｂに取り付けた第二カバー材４ｂの上に、第一取付材３ａに取り付けた第一カバー材４ａが重なる構造となり、雨水の浸入を確実に防ぐことができる。
【００１９】
なお、図８に示すように、第一取付材３ａに取り付けた第一カバー材４ａは、右端において第二取付材３ｂの本体部３１ｂに被さることになり、前側に開口するある程度の隙間Ｇ１が生じてしまう。しかしながら、屋根１には傾斜があるので、隙間Ｇ１の開口から奥（後側）へ水が流れ込むことはない。仮に、第一取付材３ａが第二取付材３ｂの下になるように取り付けた場合、第二取付材３ｂの第二カバー材４ｂが後端において第一取付材３ａの本体部３１ａに被さり、左側に開口する隙間が生じてしまう。すると、屋根１は左右方向には傾斜しておらず、隙間から水が流れ込んでしまうことになる。よって、本実施形態のように、第一取付材３ａが上になるようにすることが望ましい。
【００２０】
また、図９に示すように、入隅を形成する見付壁面Ｗａと見込壁面Ｗｂが、直角よりも大きな角度で接している場合、第一取付材３ａの本体部３１ａ右端面と、第二取付材３ｂの設置片３２ｂとの間に隙間Ｇ２が生じる。この場合、隙間Ｇ２は湿式シール材を充填して塞ぐが、ここに雨水が当り続けることは好ましくない。そこで、本願発明品においては、第一取付材３ａの右端部を、第二取付材３ｂの本体部３１ｂと湾曲部３４ｂの間に呑み込ませてあり、さらに湾曲部３４ｂの左側上端から、左側下方に向けて延出片３５ｂが延びており、延出片３５ｂの左端部から、下方に向けて垂下片３６ｂが延びている構成としてある。これにより、見込壁面Ｗｂを伝って上から流れてくる雨水は、延出片３５ｂから垂下片３６ｂへ流れて、隙間Ｇ２から離れた箇所に滴下するので、湿式シール材の充填部分に雨水が当らない。
【００２１】
本発明は、上記の実施形態に限定されない。たとえば、必ずしも第一取付材が第二取付材に呑み込まれるような構成になっている必要はなく、少なくとも第一取付材と第二取付材とが上下方向に段違いになっていればよい。また、第二取付材において、本体部が屋根の上部まで延出していてもよい。さらに、屋根及び柱の構成は、壁面から独立して設置されるものであれば、どのようなものであってもよい。また、施工手順は、本実施形態において施工しやすい手順を示したものであり、これに限られるものではない。
【符号の説明】
【００２２】
１  屋根
２  隙間塞ぎ部材
２ａ  第一隙間塞ぎ部材
２ｂ  第二隙間塞ぎ部材
３  取付材
３ａ  第一取付材（一方の取付材）
３ｂ  第二取付材（他方の取付材）
４  カバー材
Ｗ  壁面
【図１】
0005703205.tif 000002
【図２】
0005703205.tif 000003
【図３】
0005703205.tif 000004
【図４】
0005703205.tif 000005
【図５】
0005703205.tif 000006
【図６】
0005703205.tif 000007
【図７】
0005703205.tif 000008
【図８】
0005703205.tif 000009
【図９】
0005703205.tif 000010
【図１０】
0005703205.tif 000011